【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
被写体を電気的に撮影する撮像装置であって、
複数の画像表示手段と、
複数の異なる表示モード毎に前記複数の画像表示手段のいずれかに画像データを表示中に、当該画像データの表示先を別の画像表示手段に変更することで、前記複数の表示モード毎に画像データの表示に用いる画像表示手段を前記複数の画像表示手段の中から選択するための選択手段と、
前記選択手段により選択された画像表示手段を、前記複数の表示モード毎にそれぞれ記憶する記憶手段と、
前記表示モードに応じて、前記記憶手段に記憶された画像表示手段に画像データを表示するように制御する表示制御手段と
を有することを特徴とする撮像装置。
【請求項２】
前記選択手段は、１回の操作を受け付ける毎に、前記画像データの表示先を前記複数の画像表示手段の中で順に切り換えることを特徴とする請求項１に記載の撮像装置。
【請求項３】
前記表示制御手段は、前記表示モードに応じた画像表示手段に前記画像データを表示中、他の画像表示手段を消灯することを特徴とする請求項１または２に記載の撮像装置。
【請求項４】
前記複数の表示モードは、少なくとも、被写体像を逐次表示するライブ表示モードと、撮影直後に撮影画像を予め設定された時間表示するレビュー表示モードとを含むことを特徴とする請求項１乃至３のいずれか１項に記載の撮像装置。
【請求項５】
前記レビュー表示モードにおいて、前記予め設定された時間内に予め決められた操作部材が操作された場合に、前記予め設定された時間にかかわらずレビュー表示を継続することを特徴とする請求項４に記載の撮像装置。
【請求項６】
前記予め決められた操作部材は前記選択手段であって、該選択手段を用いて画像表示手段の変更が為された場合に、前記予め設定された時間にかかわらずレビュー表示を継続することを特徴とする請求項５に記載の撮像装置。
【請求項７】
前記ライブ表示モードで画像データを表示中に、前記選択手段により別の画像表示手段が選択された場合に、当該別の画像表示手段を前記レビュー表示モードの画像表示手段として前記記憶手段に記憶することを特徴とする請求項４に記載の撮像装置。
【請求項８】
前記レビュー表示モードで画像データを表示中に、前記選択手段により別の画像表示手段が選択された場合に、当該別の画像表示手段を前記ライブ表示モードの画像表示手段として前記記憶手段に記憶することを特徴とする請求項４または７に記載の撮像装置。
【請求項９】
前記表示モードは、前記撮像装置が既に撮影した画像データを再生する再生モードにおいて画像データを表示するモードを含み、
前記記憶手段は、前記再生モードである場合に、前記選択手段により選択された画像表示手段を、前記再生モードにおける画像表示手段として記憶することを特徴とする請求項１乃至８のいずれか１項に記載の撮像装置。
【請求項１０】
撮影直後に撮影画像を予め設定された時間表示するレビュー表示モードを、前記予め設定された時間にかかわらず継続するときには、当該画像を、前記再生モードの画像表示手段として前記記憶手段に記憶されている画像表示手段に表示することを特徴とする請求項９に記載の撮像装置。
【請求項１１】
前記再生モードで画像データを表示中に、前記選択手段により別の画像表示手段が選択された場合に、当該別の画像表示手段を前記レビュー表示モードの画像表示手段として前記記憶手段に記憶し、前記レビュー表示モードで画像データを表示中に、前記選択手段により別の画像表示手段が選択された場合に、当該新たに選択された画像表示手段を前記再生モードの画像表示手段として前記記憶手段に記憶することを特徴とする請求項９または１０に記載の撮像装置。
【請求項１２】
前記複数の画像表示手段の少なくとも１つが格納可能であって、当該画像表示手段が格納されているときに、前記選択手段による当該画像表示手段の選択を不可にすると共に、前記複数の表示モードのいずれかで当該画像表示手段が選択されている場合に、他の画像表示手段に選択を変更することを特徴とする請求項１乃至１１のいずれか１項に記載の撮像装置。
【請求項１３】
前記格納可能な画像表示手段が使用可能状態に変移する時に、前記選択手段による当該画像表示手段の選択を許可すると共に、予め設定された表示モードに応じた画像表示手段を、当該画像表示手段に選択を変更することを特徴とする請求項１２に記載の撮像装置。
【請求項１４】
複数の画像表示手段を有し、被写体を電気的に撮影する撮像装置の制御方法であって、
複数の異なる表示モードの内、使用する表示モードを判断する判断工程と、
前記判断された表示モードに応じて、前記複数の画像表示手段のいずれかに画像データを表示する表示工程と、
前記表示工程により画像データを表示中に、当該画像データの表示先を前記複数の画像表示手段の別の画像表示手段に変更する変更工程と、
前記変更後の画像表示手段を、前記判断された表示モードに関連づけて記憶する記憶工程とを有し、
前記変更工程及び前記記憶工程では、前記複数の表示モード毎に独立して処理を行い、前記表示工程では、前記表示モードに応じて記憶された画像表示手段に画像データを表示するように制御することを特徴とする制御方法。
【請求項１５】
前記変更工程では、１回の操作を受け付ける毎に、前記画像データの表示先を前記複数の画像表示手段の中で順に切り換えることを特徴とする請求項１４に記載の制御方法。
【請求項１６】
前記表示工程により、前記表示モードに応じた画像表示手段に前記画像データを表示中、他の画像表示手段を消灯する消灯工程を更に有することを特徴とする請求項１４または１５に記載の制御方法。
【請求項１７】
前記複数の表示モードは、少なくとも、被写体像を逐次表示するライブ表示モードと、撮影直後に撮影画像を予め設定された時間表示するレビュー表示モードとを含むことを特徴とする請求項１４乃至１６のいずれか１項に記載の制御方法。
【請求項１８】
前記レビュー表示モードにおいて、前記予め設定された時間内に予め決められた操作部材が操作された場合に、前記予め設定された時間にかかわらずレビュー表示を継続することを特徴とする請求項１７に記載の制御方法。
【請求項１９】
前記予め決められた操作部材は選択手段であって、該選択手段を用いて画像表示手段の変更が為された場合に、前記予め設定された時間にかかわらずレビュー表示を継続することを特徴とする請求項１８に記載の制御方法。
【請求項２０】
前記表示工程により前記ライブ表示モードで画像データを表示中に、前記変更工程で別の画像表示手段に変更された場合に、前記記憶工程では、変更後の画像表示手段を前記レビュー表示モードの画像表示手段として記憶することを特徴とする請求項１７に記載の制御方法。
【請求項２１】
前記表示工程により前記レビュー表示モードで画像データを表示中に、前記変更工程で別の画像表示手段が選択された場合に、前記記憶工程では、変更後の画像表示手段を前記ライブ表示モードの画像表示手段として記憶することを特徴とする請求項１７または２０に記載の制御方法。
【請求項２２】
前記表示モードは、前記撮像装置が既に撮影した画像データを再生する再生モードにおいて画像データを表示するモードを含み、
前記記憶工程では、前記再生モードである場合に、前記変更工程において変更された画像表示手段を、前記再生モードにおける画像表示手段として記憶することを特徴とする請求項１４乃至２１のいずれか１項に記載の制御方法。
【請求項２３】
撮影直後に撮影画像を予め設定された時間表示するレビュー表示モードを、前記予め設定された時間にかかわらず継続するときには、当該画像を、前記再生モードの画像表示手段として前記記憶工程で記憶された画像表示手段に表示することを特徴とする請求項２２に記載の制御方法。
【請求項２４】
前記表示工程により前記再生モードで画像データを表示中に、前記変更工程で別の画像表示手段が選択された場合に、前記記憶工程では、変更後の画像表示手段を前記レビュー表示モードの画像表示手段として記憶し、前記表示工程により前記レビュー表示モードで画像データを表示中に、前記変更工程で別の画像表示手段が選択された場合に、前記記憶工程では、変更後の画像表示手段を前記再生モードの画像表示手段として記憶することを特徴とする請求項２２または２３に記載の制御方法。
【請求項２５】
前記複数の画像表示手段の少なくとも１つが格納可能であって、当該画像表示手段が格納されているときに、前記変更工程における当該画像表示手段の選択を不可にすると共に、前記複数の表示モードのいずれかで当該画像表示手段が選択されている場合に、他の画像表示手段に変更することを特徴とする請求項１４乃至２４のいずれか１項に記載の制御方法。
【請求項２６】
前記格納可能な画像表示手段が使用可能状態に変移する時に、前記変更工程における当該画像表示手段の選択を許可すると共に、予め設定された表示モードに応じた画像表示手段を、当該画像表示手段に変更することを特徴とする請求項２５に記載の制御方法。
【手続補正２】
【補正対象書類名】明細書
【補正対象項目名】００１６
【補正方法】変更
【補正の内容】
【００１６】
上記目的を達成するために、被写体を電気的に撮影する本発明の撮像装置は、複数の画像表示手段と、複数の異なる表示モード毎に前記複数の画像表示手段のいずれかに画像データを表示中に、当該画像データの表示先を別の画像表示手段に変更することで、前記複数の表示モード毎に画像データの表示に用いる画像表示手段を前記複数の画像表示手段の中から選択するための選択手段と、前記選択手段により選択された画像表示手段を、前記複数の表示モード毎にそれぞれ記憶する記憶手段と、前記表示モードに応じて、前記記憶手段に記憶された画像表示手段に画像データを表示するように制御する表示制御手段とを有する。
【手続補正３】
【補正対象書類名】明細書
【補正対象項目名】００１７
【補正方法】変更
【補正の内容】
【００１７】
また、複数の画像表示手段を有し、被写体を電気的に撮影する撮像装置の本発明の制御方法は、複数の異なる表示モードの内、使用する表示モードを判断する判断工程と、前記判断された表示モードに応じて、前記複数の画像表示手段のいずれかに画像データを表示する表示工程と、前記表示工程により画像データを表示中に、当該画像データの表示先を前記複数の画像表示手段の別の画像表示手段に変更する変更工程と、前記変更後の画像表示手段を、前記判断された表示モードに関連づけて記憶する記憶工程とを有し、前記変更工程及び前記記憶工程では、前記複数の表示モード毎に独立して処理を行い、前記表示工程では、前記表示モードに応じて記憶された画像表示手段に画像データを表示するように制御する。
【手続補正４】
【補正対象書類名】明細書
【補正対象項目名】００４０
【補正方法】変更
【補正の内容】
【００４０】
６４はシャッタースイッチＳＷ２で、不図示のシャッターボタンの操作完了でＯＮとなり、撮像素子１４から読み出した信号をＡ／Ｄ変換器１６、メモリ制御部２２を介してメモリ３４に画像データを書き込む露光処理、画像処理部２０やメモリ制御部２２での演算を用いた現像処理、メモリ３４から画像データを読み出し、圧縮伸長部３６で画像圧縮を行い、記録媒体２００或いは２１０に画像データを書き込む記録処理という一連の処理の動作開始を指示する。
【手続補正５】
【補正対象書類名】明細書
【補正対象項目名】００６１
【補正方法】変更
【補正の内容】
【００６１】
一方、ステップＳ１３０でライブ用の表示装置設定がＥＶＦに設定されていると判断された場合、ステップＳ１３３に進んでライブ用の表示装置設定をＬＣＤに変更し、ステップＳ１３４でＥＶＦ３２をＯＦＦにしてから、ステップＳ１３５に進む。ステップＳ１３５では、図３を参照して説明したライブ表示処理を実行する。処理終了後は図２のフローに戻る。なお、ステップＳ１３２及びＳ１３４の処理の実行タイミングはこれに限るものではなく、例えば、ライブ表示処理の実行後でも良いし、または行わなくても良い。
【手続補正６】
【補正対象書類名】明細書
【補正対象項目名】００７４
【補正方法】変更
【補正の内容】
【００７４】
一方、ステップＳ１６０でレビュー用の表示装置設定がＥＶＦに設定されていると判断された場合、ステップＳ１６３においてレビュー用の表示装置設定をＬＣＤに変更し、ステップＳ１６４でＥＶＦ３２をＯＦＦにしてから、ステップＳ１６５に進む。ステップＳ１６５では、図６を参照して上述したレビュー表示処理を実行する。処理を終了後は図２のフローに戻る。なお、ステップＳ１６２及びＳ１６４の処理の実行タイミングはこれに限るものではなく、例えば、レビュー表示処理の実行後でも良いし、または行わなくても良い。
【手続補正７】
【補正対象書類名】明細書
【補正対象項目名】００８７
【補正方法】変更
【補正の内容】
【００８７】
一方、ステップＳ２２０で再生用の表示装置設定がＥＶＦに設定されていると判断された場合、ステップＳ２２３に進んで再生用の表示装置設定をＬＣＤに変更し、ステップＳ２２４でＥＶＦ３２をＯＦＦにしてから、ステップＳ２２５に進む。ステップＳ２２５では、図９を参照して説明した再生表示処理を実行する。処理終了後は図８のフローに戻る。なお、ステップＳ２２２及びＳ２２４の処理の実行タイミングはこれに限るものではなく、例えば、再生表示処理の実行後でも良いし、または行わなくても良い。
【手続補正８】
【補正対象書類名】明細書
【補正対象項目名】００８９
【補正方法】変更
【補正の内容】
【００８９】
最後に、システム制御部５０は、図８のステップＳ２０３において、モードダイアル６０や操作部７０の操作により再生モードの終了が指示されるまで、処理をＳ２００へ戻して再生モードを継続する。
【手続補正９】
【補正対象書類名】明細書
【補正対象項目名】０１４５
【補正方法】変更
【補正の内容】
【０１４５】
次に、図２２のステップＳ５０１において、クイックレビュー表示中に表示装置切り換えボタン６６が操作されたかどうかを判断し、操作されていなければステップＳ５０２に進み、操作された場合には、システム制御部５０は処理をステップＳ５０４に進め、クイックレビュー表示切り換え処理を実行する。
【手続補正１０】
【補正対象書類名】明細書
【補正対象項目名】０１５４
【補正方法】変更
【補正の内容】
【０１５４】
ステップＳ５３３またはＳ５３６でレビュー画像を表示後は、システム制御部５０は、ステップＳ５３７にて操作部７０の操作によりレビューホールドの終了が指示されるまで（ステップＳ５３７でＹＥＳの間）、レビューホールドを継続し、レビュー画像を表示し続ける。
【手続補正１１】
【補正対象書類名】図面
【補正対象項目名】図２１
【補正方法】変更
【補正の内容】
【図２１】
2005223762.tif 000001